(57)【特許請求の範囲】
【請求項１】
ズーム動作が可能なレンズ鏡筒であって、
モータにより駆動されることで通過する光の量を変化させるための主絞りと、
第１の絞り開口を形成する第１の絞り羽根および光軸回りで回転して前記第１の絞り羽根を開閉する第１の駆動部材を含む第１の副絞りと、
第２の絞り開口を形成する第２の絞り羽根および光軸回りで回転して前記第２の絞り羽根を開閉する第２の駆動部材を含む第２の副絞りと、
前記第１の駆動部材に設けられた第１の係合部に係合する第１のカム部および前記第２の駆動部材に設けられた第２の係合部に係合する第２のカム部を有し、前記ズーム動作に伴って光軸回りで回転することで前記第１および第２の駆動部材を同時に回転させるカム筒と、
ユーザの操作によって光軸回りで回転することで前記カム筒を回転させるための操作部材とを有し、
各ズーム位置における前記第１の絞り開口の径と前記第２の絞り開口の径とが互いに異なることを特徴とするレンズ鏡筒。
【請求項２】
前記第１の絞り開口の径と前記第２の絞り開口の径との大小関係は、ズーム位置によって変化しないことを特徴とする請求項１に記載のレンズ鏡筒。
【請求項３】
前記第１の絞り開口の径は、各ズーム位置において前記第２の絞り開口の径よりも小さいことを特徴とする請求項２に記載のレンズ鏡筒。
【請求項４】
前記主絞りの開放状態において、前記第１の絞り開口の径は前記主絞りの開口径よりも小さいことを特徴とする請求項１から３のいずれか一項に記載のレンズ鏡筒。
【請求項５】
前記第１および第２の絞り羽根は互いに共通の部品で構成され、前記第１および第２の駆動部材は互いに共通の部品で構成されることを特徴とする請求項１から４のいずれか一項に記載のレンズ鏡筒。
【請求項６】
前記第１の副絞りは、前記第１の絞り羽根および前記第１の駆動部材を移動可能に保持する第１のベース部材を有し、
前記第２の副絞りは、前記第２の絞り羽根および前記第２の駆動部材を移動可能に保持する第２のベース部材を有し、
前記第１および第２のベース部材は互いに共通の部品で構成されることを特徴とする請求項５に記載のレンズ鏡筒。
【請求項７】
前記カム筒は、光軸回りで回転することで前記主絞りおよび前記第１の副絞りの光軸方向における間隔を変化させることを特徴とする請求項１から６のいずれか一項に記載のレンズ鏡筒。
【請求項８】
前記第１の副絞りは、前記主絞りよりも光軸方向における物体側に配置され、
前記第２の副絞りは、前記主絞りよりも前記光軸方向における像側に配置されていることを特徴とする請求項１から７のいずれか一項に記載のレンズ鏡筒。
【請求項９】
前記カム筒において、前記第１のカム部と前記第２のカム部とが連続した１つのカム部として形成されていることを特徴とする請求項１から８のいずれか一項に記載のレンズ鏡筒。
【請求項１０】
前記第１および第２のカム部は、前記カム筒の同一回転位置に対して前記第１および第２の駆動部材を互いに異なる回転位置に回転させることを特徴とする請求項１から９のいずれか一項に記載のレンズ鏡筒。
【請求項１１】
前記ズーム動作に伴う前記第１の絞り開口の変化範囲と前記第２の絞り開口の変化範囲とが互いに異なることを特徴とする請求項１から１０のいずれか一項に記載のレンズ鏡筒。 
【請求項１２】
請求項１から１１のいずれか一項に記載のレンズ鏡筒を有することを特徴とする光学機器。
【発明の詳細な説明】
【技術分野】
【０００１】
本発明は、主絞りと副絞りを有するレンズ鏡筒を有する交換レンズや撮像装置等の光学機器に関する。
【背景技術】
【０００２】
レンズ鏡筒に備えられる絞りは、複数の絞り羽根により形成される絞り開口を該複数の絞り羽根を開閉方向に移動させることで変化させ、光量を調節する。レンズ鏡筒には、光量調節を主として担う主絞りと、焦点距離や被写体距離に応じて主絞りが設定する開放絞り口径を補正したりズーム動作による周辺光量の大きな変化を防いだりするための副絞りとが搭載されたものがある。
【０００３】
特許文献１には、フォーカス動作に応じて開放絞り口径を補正する副絞りを搭載したレンズ鏡筒が開示されている。また、特許文献２には、ズーム動作に応じて主絞りと該主絞りよりも像側に配置された副絞りとの光軸方向での間隔を変化させることで、ズーム動作による周辺光量の大きな変化を防ぐように副絞によるフレアカットを行うレンズ鏡筒が開示されている。
【０００４】
また、絞りの多くはアクチュエータを用いて絞り羽根を開閉方向に駆動するが、特許文献１には、主絞りにおける絞り羽根の駆動をアクチュエータにより行い、副絞りにおける絞り羽根の駆動はアクチュエータを用いずに行うレンズ鏡筒が開示されている。このレンズ鏡筒では、副絞りにおいて絞り羽根を駆動する回転部材が光軸方向に延びるカム部を有し、該カム部に形成されたカム溝部に可動レンズに設けられたカムフォロワが係合する。可動レンズが光軸方向に移動すると、カム溝部のリフトによって回転部材が光軸回りで回転し、絞り羽根が駆動される。
【先行技術文献】
【特許文献】
【０００５】
【特許文献１】特開２００１−８３５６５号公報
【特許文献２】特開平９−２２２６２８号公報
【発明の概要】
【発明が解決しようとする課題】
【０００６】
超広角レンズ等、特殊な光学特性を有する場合には、主絞りに加えて少なくとも２つの副絞り、すなわち開放絞り口径を補正するための副絞りと周辺光量の大きな変化を防ぐためのフレアカットを行う副絞りとを必要とする場合がある。この場合、可能な限り部品点数やコストの増加を抑えつつ、上記２つの副絞りの絞り口径をそれぞれ独立に調節できるようにする構成が求められる。しかも、これらの副絞りの開放絞り口径が互いに異なる場合もある。
【０００７】
しかしながら、特許文献１，２を含めた先行技術文献において、主絞りに加えて２つ以上の副絞りを備えたレンズ鏡筒に関する開示がない。
【０００８】
本発明は、主絞りと少なくとも２つの副絞りとを有し、部品点数やコストの増加を抑えつつこれら副絞りの絞り口径をそれぞれ独立に調節できるようにしたレンズ鏡筒を提供する。
【課題を解決するための手段】
【０００９】
本発明の一側面としてのレンズ鏡筒は、ズーム動作が可能なレンズ鏡筒であって、モータにより駆動されることで通過する光の量を変化させるための主絞りと、第１の絞り開口を形成する第１の絞り羽根および光軸回りで回転して第１の絞り羽根を開閉する第１の駆動部材を含む第１の副絞りと、第２の絞り開口を形成する第２の絞り羽根および光軸回りで回転して第２の絞り羽根を開閉する第２の駆動部材を含む第２の副絞りと、第１の駆動部材に設けられた第１の係合部に係合する第１のカム部および第２の駆動部材に設けられた第２の係合部に係合する第２のカム部を有し、ズーム動作に伴って光軸回りで回転することで第１および第２の駆動部材を同時に回転させるカム筒と、ユーザの操作によって光軸回りで回転することでカム筒を回転させるための操作部材とを有し、各ズーム位置における第１の絞り開口の径と第２の絞り開口の径とが互いに異なることを特徴とする。
【００１０】
なお、上記レンズ鏡筒を有する光学機器も、本発明の他の一側面を構成する。
【発明の効果】
【００１１】
本発明によれば、第１および第２の副絞りの絞り羽根をアクチュエータを用いることなく独立に駆動することができる。このため、部品点数やコストの増加を抑えつつ、第１および第２の副絞りの絞り口径をそれぞれ独立に調節できるようにしたレンズ鏡筒を実現することができる。
【図面の簡単な説明】
【００１２】
【図１】本発明の実施例１であるレンズ鏡筒の断面図。
【図２】実施例１のレンズ鏡筒に搭載された第１の副絞りユニットの分解斜視図。
【図３】実施例１のレンズ鏡筒に搭載された第２の副絞りユニットの分解斜視図。
【図４】実施例１におけるカム筒の展開図。
【図５】実施例１におけるズーム位置と絞り口径との関係を示す図。
【図６】本発明の実施例１であるレンズ鏡におけるカム筒の展開図。
【発明を実施するための形態】
【００１３】
以下、本発明の実施例について図面を参照しながら説明する。
【実施例１】
【００１４】
図１には、本発明の実施例であるレンズ鏡筒を含む光学機器としての交換レンズの構成を示している。
【００１５】
交換レンズ１は、不図示のカメラ本体（一眼レフカメラまたはミラーレス一眼カメラ）に取り外し可能に装着される。交換レンズ１は、レンズ鏡筒と、該レンズ鏡筒の後端（像側の端）に設けられ、カメラ本体に結合されるマウント１９とを有する。
【００１６】
レンズ鏡筒は、物体側（図の左側：以下、前側ともいう）から像側（同右側：以下、後側ともいう）に順に第１〜第３レンズ群Ｌ１〜Ｌ３を含む撮影光学系を保持している。第１〜第３レンズ群Ｌ１〜Ｌ３は、撮影光学系の光軸方向に移動して変倍を行う。また、第２レンズ群Ｌ２は、光軸方向に移動して焦点調節を行う。本実施例の交換レンズ１は、いわゆる超広角レンズであり、第１レンズ群Ｌ１が他のレンズ群Ｌ２，Ｌ３に比べてはるかに外径が大きい。なお、以下の説明において、撮影光学系の光軸に直交する方向を径方向ともいい、光軸回りの方向を周方向ともいう。
【００１７】
マウント１９は、フランジバック調整環２１とともにビスによって固定筒１８に固定されている。固定筒１８には、案内筒４がビスにより固定されている。案内筒４の内周には、バヨネット部５ａによって撮影光学系の光軸回りで回転可能なカム筒５が配置されている。
【００１８】
案内筒４と固定筒１８との間に配置された直進筒３には、第１レンズ群Ｌ１を保持する１群保持枠１０がビスによって固定されている。直進筒３には、不図示の直進カムフォロワがビスによって取り付けられている。
【００１９】
調整筒（レンズ収容筒）２は、その内周側に直進筒３や１群保持枠１０（第１レンズ群Ｌ１）を収容する第１の筒部２ａと、該第１の筒部２ａよりも後側に設けられて第１の筒部２ａよりも外径が小さい第２の筒部２ｂとを有する。第１および第２の筒部２ａ，２ｂとの間には、これらを接続する部分であって第１の筒部２ａから第２の筒部２ｂにかけて外径が減少する接続部２ｄを有する。第２の筒部２ｂは、その内周において案内筒４にビスによって固定されている。
【００２０】
調整筒２は、案内筒４に対して径方向における偏心調整が可能である。該偏心調整によってレンズ鏡筒全系の光軸を一致させるための調整を行うことができる。
【００２１】
直進筒３は、その前端のフランジ部に形成された周方向３か所の溝部を有する。これら３つの溝部内には、調整筒２の内周面に光軸方向に転動可能に当接するローラー１３と該ローラー１３を回転可能に保持するローラー軸１２とが配置されている。ローラー軸１２は、ローラー軸固定板金１４により保持され、ローラー軸固定板金１４は直進筒３にビスにて固定されている。ローラー１３は、ローラー軸１２を径方向外側に向かって付勢する不図示のローラー軸付勢ばねによって常に調整筒２の内周面に押し付けられている。
【００２２】
カム筒５の内周には、フォーカスカム筒２３が配置されている。フォーカスカム筒２３には、フォーカスカム溝部が形成されている。第２レンズ群Ｌ２は２群保持枠２２によって保持され、該２群保持枠２２に設けられたカムフォロワ２２ａは、フォーカスカム筒２３のフォーカスカム溝部に係合している。
【００２３】
２群保持枠２２と３群保持枠２４）は、後群保持枠２６によって保持されている。後群保持枠２６の前端にはフォーカスカム筒押さえ板金２７が固定されており、このフォーカスカム筒押さえ板金２７と後群保持枠２６のうち光軸方向中間の面とによってフォーカスカム筒２３が光軸回りで回転可能に挟まれて保持されている。後群保持枠２６には、不図示の直進カムフォロワが設けられている。
【００２４】
案内筒４には光軸方向に延びるように不図示の直進溝部が形成されている。また、カム筒５には、不図示の後群用カム溝部および直進筒用カム溝部が形成されている。後群保持枠２６および直進筒３の直進カムフォロワはともに直進溝部に係合するとともに、それぞれ後群用カム溝部および直進筒用カム溝部に係合している。このため、カム筒５が回転すると、後群保持枠２６（つまりは第２および第３レンズ群Ｌ２，Ｌ３）および直進筒３（つまりは第１レンズ群Ｌ１）はそれぞれ、後群用カム溝部および直進筒用カム溝部のリフトによって光軸方向に直進移動する。これにより、ズーム動作（変倍）が行われる。
【００２５】
主絞りユニット３０は、撮影光学系のＦナンバーを決定する光量調整を行う電磁絞りユニットである。主絞りユニット３０は、フォーカスカム筒２３の内側に配置され、前述したように後群保持枠２６に固定されたフォーカスカム筒押さえ板金２７と２群保持枠２２との間に配置されて後群保持枠２６にビスにより固定される。
【００２６】
第１の副絞りユニット３１は、主絞りユニット３０よりも前側に配置され、ズーム動作に応じて主絞りユニット３０の開放絞り口径の補正を行う。この第１の副絞りユニット３１は、副絞り保持筒３２にビスにより固定されている。副絞り保持筒３２は、不図示のカムフォロワを有し、該カムフォロワはカム筒５に設けられた不図示の副絞り保持筒用カム溝部に係合している。これにより、カム筒５が回転すると、副絞り保持筒３２および第１の副絞りユニット３１と主絞りユニット３０との光軸方向での間隔が変化する。
【００２７】
第２の副絞りユニット３３は、主絞りユニット３０よりも後側に配され、ズーム動作による周辺光量の大きな変化を防ぐためのフレアカットを行う。第２の副絞りユニット３３は、後群保持枠２６にビスによって固定される。
【００２８】
フォーカスユニット２８は、案内筒４にビスにより固定されている。フォーカス操作部材としてのマニュアルリング１５は、フォーカスユニット２８に対して光軸方向における定位置にて光軸回りで回転可能に保持されている。フォーカスユニット２８は、振動型モータと差動機構とにより構成されており、振動型モータのロータ回転量とマニュアルリング１５の回転量とに応じた回転量を不図示のフォーカスキーに出力する。フォーカスキーは、フォーカスカム筒２３に形成されたフォーカスキー係合溝部に係合している。この構成により、オートフォーカス時には振動型モータからの駆動力によってフォーカスカム筒２３が回転され、マニュアルフォーカス時にはユーザによるマニュアルリング１５の回転操作力によってフォーカスカム筒２３が回転される。これにより、２群保持枠２２は、第２レンズ群Ｌ２とともに、フォーカスカム筒２３のフォーカスカム溝部のリフトによって光軸方向に移動して焦点調節を行う。
【００２９】
ズームリング２０は、ユーザにより回転操作されるズーム操作部材であり、固定筒１８により光軸方向における定位置にて光軸回りで回転可能に保持されている。ズームリング２０には不図示のズームキーがビスにより固定され、ズームキーはカム筒５に形成されたズームキー係合溝部に係合している。このため、ズームリング２０が回転操作されると、その回転操作力によってカム筒５が回転し、上述したように後群保持枠２６（つまりは第２および第３レンズ群Ｌ２，Ｌ３）および直進筒３（つまりは第１レンズ群Ｌ１）が光軸方向に直進移動してズーム動作が行われる。
【００３０】
６は外装筒としてのレンズフードであり、調整筒２の第１の筒部２ａの外周に配置されたフード部６ａと、該フード部６ａからフード部６ａより径が小さくなりながら調整筒２の接続部２ｄの外周を通って第２の筒部２ｂの外周まで延びる円錐筒部６ｂとを有する。フード部６ａの前端は、調整筒２（第１の筒部２ａ）および第１レンズ群Ｌ１の前側レンズ面よりも前方に突出している。また、円錐筒部６ｂの内側にはワッシャ受け部６ｃが形成されている。このワッシャ受け部６ｃの後端面と、調整筒２の第２の筒部２ｂの外周面にビスにより固定された固定リング部材９の前端面との間には、第１の弾性部材であるウェーブワッシャ７が光軸方向にわずかに圧縮（弾性変形）された状態で配置されている。
【００３１】
また、レンズフード６の内周面と調整筒２の外周面との間には、第２の弾性部材であるゴム筒８が配置されている。
【００３２】
裏蓋２９は、マウント１９にスナップ結合され、有害光をカットする。メイン基板３４は、フォーカスユニット２８および主絞りユニット３０に対して電気的に接続され、これらの制御を行う。
【００３３】
次に図２および図３を用いて、第１の副絞りユニット３１と第２の副絞りユニット３３の構成について説明する。図２に示すように、第１の副絞りユニット３１は、複数の第１の絞り羽根３１ａと、該複数の第１の絞り羽根３１ａを開閉方向に駆動するために光軸回りで回転する第１の回転部材（第１の駆動部材）３１ｂとを有する。さらに、第１の副絞りユニット３１は、複数の第１の絞り羽根３１ａを開閉方向に移動可能に保持するとともに第１の回転部材３１ｂを回転可能に保持する第１のベース部材３１ｃとを有する。第１の回転部材３１ｂは、複数の第１の絞り羽根３１ａをそれぞれ開閉方向に駆動するための複数の羽根駆動カム溝部を有する。第１の回転部材３１ｂには、径方向外側に向かって延びる第１の係合部３１ｄが設けられている。第１の係合部３１ｄは、カム筒５に形成された後述する第１の副絞り用カム溝部（第１のカム部）に係合している。このため、ズーム動作に伴ってカム筒５が回転することで、第１の副絞り用カム溝部に係合した第１の係合部３１ｄを介して第１の回転部材３１ｂが回転し、複数の第１の絞り羽根３１ａが開閉方向に駆動される。これにより、第１の副絞りユニット３１において複数の第１の絞り羽根３１ａが形成する絞り開口の径（第１の副絞り口径）が変更される。
【００３４】
図３に示すように、第２の副絞りユニット３３は、複数の第２の絞り羽根３３ａと、該複数の第２の絞り羽根３３ａを開閉方向に駆動するために光軸回りで回転する第２の回転部材（第２の駆動部材）３３ｂとを有する。さらに、第２の副絞りユニット３３は、複数の第２の絞り羽根３３ａを開閉方向に移動可能に保持するとともに第２の回転部材３３ｂを回転可能に保持する第２のベース部材３３ｃとを有する。第２の回転部材３３ｂは、複数の第２の絞り羽根３３ａをそれぞれ開閉方向に駆動するための複数の羽根駆動用カム溝部を有する。第２の回転部材３３ｂには、径方向外側に向かって延びる第２の係合部３３ｄが設けられている。第２の係合部３３ｄは、カム筒５に形成された後述する第２の副絞り用カム溝部（第２のカム部）に係合している。このため、ズーム動作に伴ってカム筒５が回転することで、第２の副絞り用カム溝部に係合した第２の係合部３３ｄを介して第２の回転部材３３ｂが回転し、複数の第２の絞り羽根３３ａが開閉方向に駆動される。これにより、第２の副絞りユニット３３において複数の第２の絞り羽根３３ａが形成する絞り開口の径（第２の副絞り口径）が変更される。
【００３５】
なお、本実施例において、第１の副絞りユニット３１と第２の副絞りユニット３３はすべて共通の部品を用いて構成されている。すなわち、第１の絞り羽根３１ａと第２の絞り羽根３３ａ、第１の係合部３１ｄを含む第１の回転部材３１ｂと第２の係合部３３ｄを含む第２の回転部材３３ｂ、さらに第１のベース部材３１ｃおよび第２のベース部材３３ｃはそれぞれ、共通の部品である。
【００３６】
次に、図４および図５を用いて、カム筒５と第１および第２の副絞りユニット３１，３３との関係について説明する。図４には、カム筒５をその周方向に展開して示している。カム筒５は、後群保持枠２６に設けられた３つの直進カムフォロワがそれぞれ係合する３つの前述した後群用カム溝部５ｂを有する。また、カム筒５は、第１の副絞りユニット３１の第１の係合部３１ｄが係合する前述した第１の副絞り用カム溝部（第１のカム部）５ｃと、第２の副絞りユニット３３の第２の係合部３３ｄが係合する前述した第２の副絞り用カム溝部（第２のカム部）５ｄとを有する。このため、ズーム動作に伴ってカム筒５が回転することで、前述したように、第１および第２の副絞り用カム溝部５ｃ，５ｄに係合した第１および第２の係合部３１ｄ，３３ｄを介して第１および第２の回転部材３１ｂ，３３ｂが回転する。そして、第１および第２の副絞りユニット３１，３３の絞り口径が変更される。
【００３７】
本実施例では、第１および第２の副絞り用カム溝部５ｃ，５ｄのカム形状（カム曲線）を互いに異ならせる、言い換えればカム筒５の各回転位置でのカムリフト量を互いに異ならせる。これにより、第１および第２の副絞りユニット３１，３３の絞り口径を独立に制御することができる。これについて、図５を用いて説明する。
【００３８】
図５のグラフは、ズーム位置（焦点距離）と第１および第２の副絞りユニット３１，３３の絞り口径との関係を表している。横軸は広角端から望遠端までのズーム位置、つまりはカム筒５の回転位置を示し、縦軸は絞り口径を示している。範囲Ａは、第１および第２副絞りユニット３１，３３の絞り口径をともに最小から最大まで変化させることで得られるトータルな絞り口径の変化範囲である。範囲Ｂは、第１の副絞りユニット３１の絞り口径の最小から最大までの変化範囲である。範囲Ｃは、第２の副絞りユニット３３の絞り口径の最小から最大までの変化範囲である。
【００３９】
図５から分かるように、共通部品のみにより構成される第１および第２の副絞りユニット３１，３３はいずれも、本来は範囲Ａにて絞り口径を変化させることができる。しかし、カム筒５の第１および第２の副絞り用カム溝部５ｃ，５ｄによって絞り口径が制御される場合、つまりはレンズ鏡筒への搭載状態では、第１の副絞りユニット３１は絞り口径を範囲Ｂで制御され、第２の副絞りユニット３３は絞り口径を範囲Ｃで制御される。また、各ズーム位置での第１および第２の副絞りユニット３１，３３の絞り口径も互いに異なる。  言い換えれば、第１および第２の副絞り用カム溝部５ｃ，５ｄは、カム筒５の同一回転位置に対して第１および第２の回転部材３１ｂ，３３ｂを互いに異なる回転位置に回転させる。
【００４０】
なお、図５では、レンズ鏡筒への搭載状態において第１の副絞りユニット３１を範囲Ａに示した最小絞り口径まで絞り込むように示しているが、これは説明のための例に過ぎず、最小絞り口径より大きい絞り口径までしか絞り込まないようにしてもよい。同様に、図５には、レンズ鏡筒への搭載状態において、第２の副絞りユニット３３を範囲Ａに示した最大絞り口径まで開放できるように示しているが、これは説明のための例に過ぎず、最大絞り口径より小さい絞り口径までしか開けられないようにしてもよい。
【実施例２】
【００４１】
実施例１では、図４に示したように第１の副絞り用カム溝部５ｃと第２の副絞り用カム溝部５ｄとが別々にカム筒５に形成されている場合について説明した。しかし、これらを連続した１つのカム溝部（カム部）として形成してよい。
【００４２】
図６には、本発明の実施例２におけるカム筒５′を周方向に展開して示している。なお、レンズ鏡筒１の全体構成および第１および第２の副絞りユニット３１，３３の構成は実施例１（図１〜図３）と同じである。
【００４３】
本実施例においても、カム筒５′には、後群保持枠２６に設けられた３つの直進カムフォロワがそれぞれ係合する３つの後群用カム溝部５ｂを有する。一方、カム筒５′は、図４に示した第１の副絞り用カム溝部５ｃに相当するカム領域５ｃ′と第２の副絞り用カム溝部５ｄに相当するカム領域５ｄ′とが連続した１つのカム溝部内に光軸方向における異なる領域に形成された副絞り用カム溝部５ｅを有する。
【００４４】
本実施例では、図１に示したように、第１および第２の副絞りユニット３１，３３が光軸方向において異なる範囲（主絞りユニット３０に対して互いに反対側の範囲）で移動しつつ絞り口径が変更される。このため、図６に示したように第１の副絞りユニット３１用のカム領域５ｃ′と第２の副絞りユニット３３用のカム領域５ｄ′とを連続した１つのカム溝部内に設けても、第１および第２の副絞りユニット３１，３３の絞り口径を独立に制御することができる。
【００４５】
上記各実施例によれば、第１および第２の副絞りユニット３１，３３の絞り羽根をアクチュエータを用いることなく独立に駆動することができる。このため、部品点数やコストの増加を抑えつつ、第１および第２の副絞りユニット３１，３３の絞り口径をそれぞれ独立に制御することができる。さらに、第１および第２の副絞りユニット３１，３３の絞り口径を互いに異なる範囲で制御することができるため、第１および第２の副絞りユニット３１，３３の絞り口径としてズーム位置に応じた最適な絞り口径を得ることができる。
【００４６】
なお、本実施例で説明したレンズ鏡筒における撮影光学系の構成や各レンズ群を移動させるための構成は例に過ぎず、他の構成であってもよい。
【００４７】
さらに、本実施例では交換レンズのレンズ鏡筒について説明したが、レンズ一体型撮像装置（光学機器）に用いられるレンズ鏡筒にも本発明を適用することができる。
以上説明した各実施例は代表的な例にすぎず、本発明の実施に際しては、各実施例に対して種々の変形や変更が可能である。
【符号の説明】
【００４８】
１  交換レンズ
５  カム筒
５ｃ  第１の副絞り用カム溝部
５ｄ  第２の副絞り用カム溝部
３１  第１の副絞りユニット
３３  第２の副絞りユニット
【図１】
0006584070.tif 000002
【図２】
0006584070.tif 000003
【図３】
0006584070.tif 000004
【図４】
0006584070.tif 000005
【図５】
0006584070.tif 000006
【図６】
0006584070.tif 000007